(57)【特許請求の範囲】
【請求項１】
原稿を載置する原稿台ガラスと、
原稿を照射する光源と、
前記光源の電源装置と、
原稿からの反射画像光を反射する複数の反射部材と、
前記反射部材を介して原稿の画像光を結像する結像手段と、
結像された画像光を読み取る読取手段と、
前記光源と反射部材を支持し一定の速度で原稿の画像を移動走査する第１走査手段と、
反射部材を支持し原稿と読取手段までの物像間距離を一定に保ちつつ前記第１走査手段の１／２の速度で移動走査する第２走査手段と、
前記第１走査手段及び前記第２走査手段を移動支持する少なくとも１つの走査支持手段と、
前記原稿台ガラス及び前記走査支持手段を支持する枠体と、
を備える画像読取装置において、
一辺で前記電源装置を支持し、他辺に前記枠体に着脱可能に取り付ける取付部を有するＬ字型に折り曲げられた板状の支持部材と、
前記支持部材の前記取り付け部を前記枠体に固定する固定手段と、
前記電源装置から前記光源に電力を伝達する伝達手段と、
前記電源装置と前記伝達手段を着脱自在に接続する接続手段と、を有し、
前記電源装置を、前記枠体内部の、前記走査支持手段及び支持部材と前記枠体との間に設置し、前記固定手段を取り外すことで、前記電源装置を前記支持部材と共に前記枠体から抜き差し可能に構成したことを特徴とする画像読取装置。
【請求項２】
原稿を載置する原稿台ガラスと、
原稿を照射する光源と、
前記光源の電源装置と、
原稿からの反射画像光を反射する複数の反射部材と、
前記反射部材を介して原稿の画像光を結像する結像手段と、
結像された画像光を読み取る読取手段と、
前記光源と反射部材を支持し一定の速度で原稿の画像を移動走査する第１走査手段と、
反射部材を支持し原稿と読取手段までの物像間距離を一定に保ちつつ前記第１走査手段の１／２の速度で移動走査する第２走査手段と、
前記第１走査手段及び前記第２走査手段を移動支持する少なくとも１つの走査支持手段と、
前記原稿台ガラス及び前記走査支持手段を支持する枠体と、
を備える画像読取装置において、
一辺で前記電源装置を支持し、他辺に前記枠体に着脱可能に取り付ける取付部を有するＬ字型に折り曲げられた板状の支持部材と、
前記支持部材の前記取り付け部を前記枠体に固定する固定手段と、
前記電源装置から前記光源に電力を伝達する伝達手段と、
前記電源装置と前記伝達手段を着脱自在に接続する接続手段と、を有し、
前記電源装置を、前記枠体内部の、前記走査支持手段及び支持部材と前記枠体との間に設置し、前記固定手段を取り外すことで、前記電源装置を前記支持部材と共に前記枠体から抜き差し可能に構成し、
前記接続手段は、前記支持部材に固定された部分と、前記枠体に固定された部分とからなるドロワコネクタであり、前記支持部材及び前記電源装置を前記枠体から抜き差しする動作に伴って、前記電源装置と前記伝達手段とを着脱することを特徴とする画像読取装置。
【請求項３】
前記電源装置を前記枠体から抜き差しするための切欠を前記枠体に設けたことを特徴とする請求項１又は２に記載の画像読取装置。
【発明の詳細な説明】
【０００１】
【発明の属する技術分野】
本発明は、原稿を光源等の照明装置により照射して、その反射画像光をＣＣＤ素子等の読取手段に結像することで画像を読み取る画像読取装置に関するものである。
【０００２】
【従来の技術】
従来、この種の画像読取装置では、特開平６−３０８６２７号公報に開示されているように、原稿を照射する光源及びこの光源の電源装置はともに原稿を移動走査する同一の走査手段上に設置されていた。或いは原稿を照射する光源は原稿を移動走査する走査手段上に設置され、光源の電源装置は枠体内部の、前記走査手段を走査可能に支持するレールとレールの間に固定されていた。
【０００３】
【発明が解決しようとする課題】
しかしながら、上記従来例のように、光源と電源装置を同一の走査手段上に設置すると、走査手段の幅、特に走査方向の寸法が大きくなってしまうのに加え、走査手段の重量がアップし、走査手段を駆動するモータのトルク増加によるモータサイズの増大を招き、結果として装置全体の大きさと消費電力の増大につながってしまうという問題があった。
【０００４】
一方、電源装置が枠体内部のレールとレールの間に固定された構成の場合、電源装置から光源に電力を伝達する高圧給電線は光源の端部に接続されており、その接続部分は前記レールの外側にくるため、光源から電源装置までの距離が長くなってしまい、長い高圧給電線が必要となるので、電力の伝達効率が低下してしまうという問題があった。また前記電源装置を枠体外部に設置するような構成でも同様の問題があった。更に、いずれの構成によっても、サービスマンが基板等を交換する際の作業性が著しく低かった。
【０００５】
そこで、本発明は、上記課題に鑑みてなされたものであり、その目的とするところは、装置全体の大きさと消費電力を小さく抑えること、電力の伝達効率アップを図ること、市場でのメンテナンス性を向上すること等である。
【０００６】
【課題を解決するための手段】
上記目的を達成するための本発明の代表的な構成は、原稿を載置する原稿台ガラスと、原稿を照射する光源と、前記光源の電源装置と、原稿からの反射画像光を反射する複数の反射部材と、前記反射部材を介して原稿の画像光を結像する結像手段と、結像された画像光を読み取る読取手段と、前記光源と反射部材を支持し一定の速度で原稿の画像を移動走査する第１走査手段と、反射部材を支持し原稿と読取手段までの物像間距離を一定に保ちつつ前記第１走査手段の１／２の速度で移動走査する第２走査手段と、前記第１走査手段及び前記第２走査手段を移動支持する少なくとも１つの走査支持手段と、前記原稿台ガラス及び前記走査支持手段を支持する枠体と、を備える画像読取装置において、一辺で前記電源装置を支持し、他辺に前記枠体に着脱可能に取り付ける取付部を有するＬ字型に折り曲げられた板状の支持部材と、前記支持部材の前記取り付け部を前記枠体に固定する固定手段と、前記電源装置から前記光源に電力を伝達する伝達手段と、前記電源装置と前記伝達手段を着脱自在に接続する接続手段と、を有し、前記電源装置を、前記枠体内部の、前記走査支持手段及び支持部材と前記枠体との間に設置し、前記固定手段を取り外すことで、前記電源装置を前記支持部材と共に前記枠体から抜き差し可能に構成したことを特徴とする。
【００１０】
本発明によれば、前記電源装置を、前記枠体内部の、前記走査支持手段と前記枠体との間に設置することにより、電源装置から光源までの距離を短くできるので、電源装置から光源に電力を伝達する伝達手段を短くすることができ、電力の伝達効率アップを図ることができる。また、第１走査手段の大きさや、該第１走査手段を駆動するモータのサイズ及びトルクを小さくできるので、装置全体の大きさと消費電力を小さく抑えることができる。更に、枠体から抜き差し可能な構成とすることで、市場における基板等の交換時の作業性を上げることができる。
【００１１】
【発明の実施の形態】
以下、図面を参照して、本発明を適用した画像読取装置の一実施形態について詳しく説明する。
【００１２】
〔第１実施形態〕
図１〜図３を用いて、本発明の第１実施形態に係る画像読取装置について詳しく説明する。図１は第１実施形態に係る画像読取装置の概略構成を示す説明図、図２は図１を矢印Ｐ方向から見た断面図、図３は図１を矢印Ｑ方向から見た部分拡大図である。
【００１３】
図において、１は原稿２を載置するための原稿台ガラス、３は光源としてのキセノンランプ４、第１ミラー５を支持し走査する第１走査手段としての第１走査台、６は第２ミラー７、第３ミラー８を支持し走査する第２走査手段としての第２走査台、９は結像手段としてのレンズ、10は読取手段としてのＣＣＤ、11ａ，11ｂは第１走査台３、第２走査台６の走査を支持する走査支持手段としてのレール、12はキセノンランプ４の電源装置、13は電源装置12と高圧給電線14を着脱自在に接続する接続手段としてのコネクタ、14は電源装置12からの電力をキセノンランプ４に導く高圧給電線、15は第１走査台３の移動走査に伴って屈曲する高圧給電線14の屈曲部を安定に保持するための給電線サポートプーリである。
【００１４】
16ａは原稿台ガラス１を支持するフレーム、16ｂはレール11ａ，11ｂを支持するフレームであり、フレーム16ａとフレーム16ｂとを結合させることにより、枠体16を形成している。
【００１５】
また、17は電源装置12を抜き差しするために枠体16に設けられた切欠、18は電源装置12を支持する支持部材、19は電源装置12を支持する支持部材18を枠体16に固定するビスである。
【００１６】
上記構成の画像読取装置において、原稿２の画像を読み取る際には、第１走査台３及び第２走査台６を矢印方向に走査しつつ、原稿台ガラス１上に載置された原稿２をキセノンランプ４によって照射し、第１ミラー５、第２ミラー７、第３ミラー８によって光路を折り曲げながら、レンズ９でＣＣＤ10に結像させることで、原稿２の画像を読み取る。尚、第１走査台３、第２走査台６は図示しない駆動装置により２：１の速度比で駆動されるので、原稿２からＣＣＤ10までの光路長を一定に保ちつつ原稿を走査する。
【００１７】
上記画像読取装置において、電源装置12は、高圧給電線14が接続されるキセノンランプ４の端部側にあたる、レール11ａと枠体16の間に設置し、図示しない制御装置によって制御され、コネクタ13、高圧給電線14を介してキセノンランプ４に電力を供給する構成となっている。
【００１８】
このように電源装置12を枠体内部のレール11ａと枠体16の間に設置することにより、電源装置12からキセノンランプ４までの距離を短くできるので、高圧給電線14を短くすることができ、電力の伝達効率アップを図ることができる。
【００１９】
また、光源と共に電源装置が設置された従来の走査手段に比べ、第１走査台３の大きさや、該第１走査台３を駆動するモータ（不図示）のサイズ及びトルクを小さくできるので、装置全体の大きさと消費電力を小さく抑えることができる。
【００２０】
また、電源装置12はコネクタ13及びビス19を外すことで、枠体16の側面に設けられた切欠17より、電源装置12を支持する支持部材18と共に抜き差しすることが可能な構成となっている。この構成により、市場でのメンテナンス性を向上することができる。
【００２１】
〔第２実施形態〕
図４を用いて、本発明の第２実施形態に係る画像読取装置について詳しく説明する。図４は第２実施形態に係る画像読取装置の概略構成を示す説明図である。
尚、図において、前述した実施形態と同等の機能を有する部材には同一符号を付し、その詳しい説明は省略する。
【００２２】
本実施形態では、接続手段として、前述したコネクタ13の代わりにドロワコネクタ20ａ，20ｂを用いている。ドロワコネクタ20ａは電源装置12を支持する支持部材18に、ドロワコネクタ20ｂは枠体16にそれぞれ固定されている。
【００２３】
電源装置12は、前述した第１実施形態と同様、電源装置12を支持する支持部材18によって支持され、レール11ａと枠体16の間に設置し、図示しない制御装置によって制御され、ドロワコネクタ20ａ，20ｂ、高圧給電線14を介してキセノンランプ４に電力を供給する構成となっている。
【００２４】
そして、電源装置12はビス19を外すことで、枠体16に設けられた切欠17より、電源装置12を支持する支持部材18と共に抜き差しすることができる。
【００２５】
更に、ドロワコネクタ20ａ，20ｂは、20ａが電源装置12を支持する支持部材18に、20ｂが枠体16にそれぞれ固定されているため、電源装置12及び電源装置12を支持する支持部材18を抜き差しする動作に伴って着脱される。
【００２６】
従って、上記構成により、前述した第１実施形態と同様の効果が得られ、市場でのメンテナンス性が更に向上する。
【００２７】
〔第３実施形態〕
図５を用いて、本発明の第３実施形態に係る画像読取装置について詳しく説明する。図５は本実施形態に係る画像読取装置の部分拡大図である。尚、図において、前述した実施形態と同等の機能を有する部材には同一符号を付し、その詳しい説明は省略する。
【００２８】
本実施形態では、枠体16上面から電源装置12を抜き差しできるような構成としている。具体的には、電源装置12を枠体16から抜き差しするための切欠17を枠体16の上面に設けている。
【００２９】
電源装置12は、前述した第１実施形態と同様、電源装置12を支持する支持部材18によって支持され、レール11ａと枠体16の間に設置し、図示しない制御装置によって制御され、コネクタ13、高圧給電線14を介してキセノンランプ４に電力を供給する構成となっている。
【００３０】
そして、電源装置12はコネクタ13及びビス19を外すことで、枠体16の上面に設けられた切欠17より、電源装置12を支持する支持部材18と共に抜き差しすることが可能な構成となっている。
【００３１】
上述した本実施形態の構成によっても、前述した第１実施形態と同様の効果が得られる。
【００３２】
尚、本実施形態において、コネクタ13の代わりにドロワコネクタを用いても、前述した第２実施形態と同様、電源装置12はビス19を外すことにより、枠体16に設けられた切欠17より、電源装置12を支持する支持部材18と共に抜き差しすることができ、同様の効果が得られる。
【００３３】
また、枠体上面から抜き差しできるような構成に限定されるものではなく、例えば、枠体底面から抜き差しできるような構成をとっても、同様の効果が得られる。
【００３４】
〔他の実施形態〕
前述した実施形態では、光源としてキセノンランプを例示したが、これに限定されるものではなく、例えば冷陰極管、ＬＥＤ等の他の光源を用いても良い。
【００３５】
前述した実施形態では、画像読取装置としてスキャナ単体を例示したが、本発明はこれに限定されるものではなく、例えば複写機、ファクシミリ装置等の画像形成装置における画像読取装置、或いはプリント、コピー、ＦＡＸ等の機能を組み合わせてなる複合機における画像読取装置であっても良く、該画像読取装置に本発明を適用することにより、同様の効果が得られる。
【００３６】
【発明の効果】
以上説明したように、本発明によれば、光源の電源装置を、第１走査手段及び第２走査手段を支持する走査支持手段及び原稿台ガラスを支持する枠体内部の、前記走査支持手段と前記枠体との間に設置する構成とし、更には枠体に設けた切欠から抜き差しできる構成としたので、電力の伝達効率アップを図ることができ、また装置全体の大きさと消費電力を小さく抑えることができ、更に市場でのメンテナンス性も向上することができる。
【図面の簡単な説明】
【図１】第１実施形態に係る画像読取装置の概略構成を示す説明図
【図２】図１に示す第１実施形態に係る画像読取装置を矢印Ｐ方向から見た断面図
【図３】図１に示す第１実施形態に係る画像読取装置を矢印Ｑ方向から見た部分拡大図
【図４】第２実施形態に係る画像読取装置の概略構成を示す説明図
【図５】第３実施形態に係る画像読取装置の部分拡大図
【符号の説明】
１    …原稿台ガラス
２    …原稿
３    …第１走査台
４    …キセノンランプ
５    …第１ミラー
６    …第２走査台
７    …第２ミラー
８    …第３ミラー
９    …レンズ
10    …ＣＣＤ
11ａ，11ｂ …レール
12    …電源装置
13    …コネクタ
14    …高圧給電線
15    …給電線サポートプーリ
16    …枠体
16ａ  …フレーム
16ｂ  …フレーム
17    …切欠
18    …支持部材
19    …ビス
20ａ，20ｂ …ドロワコネクタ
【図１】
0004551530.tif 000002
【図２】
0004551530.tif 000003
【図３】
0004551530.tif 000004
【図４】
0004551530.tif 000005
【図５】
0004551530.tif 000006